(57)【特許請求の範囲】
【請求項１】
上端閉鎖の灸筒と、
前記灸筒内にヨモギ柱設置座によってつるされるヨモギ柱と、
前記ヨモギ柱設置座の内部にあって前記灸筒の下端に伸びる導磁針と、
を備える磁気灸装置であって、
前記ヨモギ柱設置座の上端は、磁気吸着構造によって前記灸筒の天井に着脱可能に取り付けられ、
前記導磁針は、少なくとも前記ヨモギ柱の全長の１／３の深さまで挿入されるか、または上下に前記ヨモギ柱を貫通して設置され、
前記磁気吸着構造の磁場は、前記導磁針によって前記灸筒の下端から導かれて人体の灸をする部分に当てられ、
前記人体の灸をする部分に灸の治療と磁気の治療とを同時に行う、
ことを特徴とする磁気灸装置。
【請求項２】
前記磁気吸着構造は、可動部と固定部とを備え、
前記可動部と前記固定部とは、少なくとも一つが磁石によって構成され、
前記可動部と前記固定部とは、相互吸着方法によって着脱可能に取り付けられ、
前記固定部は、前記灸筒の天井に固定され、
前記可動部は、前記ヨモギ柱設置座の上端に固定され、
前記導磁針は、前記可動部と接する、
ことを特徴とする請求項１に記載の磁気灸装置。
【請求項３】
前記磁気吸着構造における前記可動部と前記導磁針とは、いずれも鉄の磁性素材によって製造され、
前記可動部は、前記導磁針の上端が曲げられた金属リングによって直接的に構成される、
ことを特徴とする請求項２に記載の磁気灸装置。
【請求項４】
前記磁気吸着構造における前記固定部と前記可動部とは、いずれもシート構造であり、これによって対応する固定片と可動片とを形成する、
ことを特徴とする請求項２に記載の磁気灸装置。
【請求項５】
前記ヨモギ柱設置座は、前記導磁針によって直接的に構成され、前記導磁針が前記ヨモギ柱の中に挿し込まれて取り付けられることによって、前記ヨモギ柱を前記灸筒の中につるす、
ことを特徴とする請求項３または４に記載の磁気灸装置。
【請求項６】
前記ヨモギ柱設置座は、ヨモギ柱固定カバーを備え、
前記可動片は、前記ヨモギ柱固定カバーの上端に固定され、
前記導磁針は、前記ヨモギ柱固定カバーの中に設置され、
前記ヨモギ柱は、その一端から前記ヨモギ柱固定カバーに挿し込まれて固定される、
ことを特徴とする請求項４に記載の磁気灸装置。
【請求項７】
前記ヨモギ柱固定カバーの中には、前記ヨモギ柱の燃焼時に前記可動片に熱が転送されるのを遮断するための断熱構造が設置され、
前記断熱構造は、前記ヨモギ柱固定カバーの中に設置される仕切り板または円筒形のブロックにより構成される、
ことを特徴とする請求項６に記載の磁気灸装置。
【請求項８】
前記ヨモギ柱固定カバーの側壁には、前記ヨモギ柱の燃焼時に前記ヨモギ柱固定カバー内に発生する高温ガスを排出するスルーホールが設置される、
ことを特徴とする請求項７に記載の磁気灸装置。
【請求項９】
前記灸筒の中には、サークリップまたはセンタ穴付きのスナップリングが設置され、
前記サークリップまたはスナップリングは、前記灸筒の天井または側壁に粘着固定され、且つ、前記ヨモギ柱固定カバーのソケットと接続し、
前記ヨモギ柱固定カバーは、径方向に前記サークリップまたはスナップリングに着脱可能に固定される、
ことを特徴とする請求項６に記載の磁気灸装置。
【請求項１０】
前記灸筒は、円柱筒であって、前記灸筒の側壁の下端に近いところに若干のインレットが円周方向に沿って均一に設置され、その上端に近いところに若干のアウトレットが円周方向に沿って均一に設置される、
ことを特徴とする請求項１に記載の磁気灸装置。
【請求項１１】
前記灸筒は、灸筒本体と灸筒蓋を備え、
前記灸筒蓋は、挿し込まれるか、または被せられて前記灸筒本体の上端をカバーし、前記灸筒本体の軸方向に沿って前記灸筒本体と部分的に重なり、
前記アウトレットは、前記灸筒本体と前記灸筒蓋とが重なる部分にあり、径方向に沿って前記灸筒本体と前記灸筒蓋とを同時に貫通し、
前記灸筒蓋と前記灸筒本体とを相対的に回転させ、前記アウトレットの開口の大きさを調節できるようにする、
ことを特徴とする請求項１０に記載の磁気灸装置。
【請求項１２】
前記灸筒本体の中には、篩状の仕切り板が設置され、
前記篩状の仕切り板は、前記ヨモギ柱の下にあり、前記灸筒本体の下端との間に距離を設け、人体の灸をする部分の肌と接触しないように保つ、
ことを特徴とする請求項１１に記載の磁気灸装置。
【請求項１３】
前記灸筒本体、前記灸筒蓋、前記篩状の仕切り板の裏面には、いずれも難燃性を持つ熱反射フィルムが設置される、
ことを特徴とする請求項１１または１２に記載の磁気灸装置。
【請求項１４】
前記灸筒本体の下端の径方向に前記灸筒本体の外側に突出する環状灸座が設置されると同時に、前記灸筒本体に医療用テープがセットされ、
前記医療用テープが前記環状灸座の表面上に押し付けられることによって、前記磁気灸装置の全体が人体の灸をする部分に固定される、
ことを特徴とする請求項１１に記載の磁気灸装置。
【請求項１５】
灸筒と灸筒上をカバーする灸筒蓋によって構成されるヨモギ柱燃焼室と、
前記灸筒蓋の中にヨモギ柱設置座を通じてつるされるヨモギ柱と、
前記ヨモギ柱設置座の内部にあって前記灸筒の下端に伸びる導磁針と、
を備える磁気灸装置であって、
前記ヨモギ柱設置座は、第１の磁気シートとヨモギ柱固定カバーとによって構成され、
前記ヨモギ柱設置座の上端は、前記第１の磁気シートを通じて前記灸筒蓋の天井に粘着固定され、
前記導磁針は、少なくとも前記ヨモギ柱の全長の１／３の深さまで挿入されるか、または上下に前記ヨモギ柱を貫通して設置され、
前記第１の磁気シートの磁場は、前記導磁針を通じて前記灸筒の下端から導かれて人体の灸をする部分に当てられ、
前記人体の灸をする部分に灸の治療と磁気の治療を同時に行う、
ことを特徴とする磁気灸装置。
【請求項１６】
前記ヨモギ柱固定カバーの上端は、前記灸筒蓋の天井に設けられた前記第１の磁気シートに粘着固定され、
前記ヨモギ柱固定カバーの中には、前記ヨモギ柱の燃焼時に前記第１の磁気シートに熱が転送されるのを遮断するための断熱構造が設置され、
前記断熱構造は、前記ヨモギ柱固定カバー内に設置される円筒形のブロックによって構成され、
前記ヨモギ柱固定カバーの中には、前記導磁針が設置され、
前記導磁針の先端には、前記導磁針が前記第１の磁気シートに吸着されるように鉄の第２の磁気シートが付けられ、
前記鉄の第２の磁気シートと前記導磁針とは、一体に製造され、
前記ヨモギ柱固定カバーの側壁には、前記ヨモギ柱の燃焼時に前記ヨモギ柱固定カバー内に発生する高温ガスを排出するスルーホールが設置される、
ことを特徴とする請求項１５に記載の磁気灸装置。
【請求項１７】
前記灸筒蓋の中には、サークリップまたはセンタ穴付きのスナップリングが設置され、
前記サークリップまたはスナップリングは、前記灸筒蓋の天井または側壁に粘着固定され、且つ、前記ヨモギ柱固定カバーのソケットと接続し、
前記ヨモギ柱固定カバーは、径方向に前記サークリップまたはスナップリングに着脱可能に固定される、
ことを特徴とする請求項１５に記載の磁気灸装置。
【発明の詳細な説明】
【技術分野】
【０００１】
本発明は、漢方鍼灸治療器具であって、具体的には、人体のツボに作用するヨモギ灸装置に関する。
【背景技術】
【０００２】
ヨモギ灸は、鍼灸の重要な構成部分であって、漢方治療の重要な手段である。ヨモギ灸の作用には、ヨモギを燃焼することによってツボに与える温かい刺激、モグサが燃焼する際の揮発物による薬理作用など、多くの作用が含まれる。伝統的なヨモギ灸は、主としてヨモギ柱灸とヨモギ枝灸の２種類に分けられる。但し、ヨモギ柱灸であっても、ヨモギ枝灸であっても、灸をする際に発生する煙は非常に多く、患者や医師にとっても耐え難いものである。また、ヨモギ灸をする際に、燃える灰が落ちて患者が火傷する危険も存在している。また、ヨモギ柱やヨモギ枝を包む容器がないため、モグサの火力の多くが無駄になってしまう。しかも、ヨモギ灸をする過程において、温度の不安定さによって治療の効果に影響が生じ、操作も不便であるなど、いずれもヨモギ灸の普及や応用に厳しい制限を生じさせている。
【０００３】
現在、無煙ヨモギ灸、ヨモギ灸箱などの製品が市販されている。よく見かける無煙ヨモギ灸は、無煙ヨモギ枝灸である。このようなヨモギ枝は、主として炭化したモグサと木炭とを一定の割合で混合して作成したものであって、燃焼時に発生する煙が少なく、使いやすいものである。しかし、使用されている素材が伝統的なヨモギ灸に使用されるモグサではないため、伝統的なヨモギ灸が持つ灸の治療効果を欠いている。従って、このような無煙ヨモギ灸は、もはや伝統的なヨモギ灸ではない。ヨモギ灸について、中医学では、数千年前から論述や比較が行われており、モグサの灸の治療効果は他の素材と比較して最も優れている。即ち、数千年の発展を経て、灸の素材としてモグサが選択され、ヨモギ灸が形成された。従って、ヨモギ灸は、必ずモグサを選択して灸の素材とするものこそがヨモギ灸と呼ばれるものであり、それ以外の全てのものは、ヨモギ灸と称することはできない。
【０００４】
炭化したモグサと木炭が一定の割合で混合した混合物であっても、単なる炭化されたモグサであっても、ヨモギ枝の性質は変わり、ヨモギ枝の燃焼温度が非常に高く、且つヨモギ枝が燃焼の過程で破裂しやすくなり、患者に火傷、水膨れ、感染などの傷を与えてしまう可能性がある。発泡灸は、一部特殊な症状を治療する時に採用することができるが、当該灸治療の方法は普遍的に応用されるものではなく、現在の人々には受け入れ難いものである。従って、無煙ヨモギ枝は、形式でも本質でも伝統的なモグサとは違い、「ヨモギ」灸と称することはできない。また、伝統的なヨモギ灸の治療効果は、さまざまな要素が総合的に機能した結果であり、モグサの薬物性、及び燃焼時に発生する各種の放出物を含むが、単なる温熱効果ではない。現在の市販の無煙ヨモギ灸の効果は、通常、単なる温熱効果のみを有し、真のヨモギ灸の治療効果に達することができない。また、無煙ヨモギ枝を使用して灸をする過程において、温度が低くなったり、または、高くなったりと依然として不安定であるため、ヨモギ灸の灸感現象を誘発しにくく、治療効果に影響を与える。
【０００５】
市販のヨモギ灸箱は、燃焼の速度と温度とを一定の程度に制御することができるが、調節範囲が限られ、しかもヨモギ柱の設置が不便であり、灸箱が倒れやすく、同様に灰が落ちて患者に火傷のような傷を与えることや、火災の危険性が存在している。
【発明の概要】
【発明が解決しようとする課題】
【０００６】
上記従来の技術の不備に対して、本発明の目的は、灸の治療効果と磁力の治療効果とを共に具備し、しかもヨモギ灸の温度を調節することができ、安全で、便利な磁気灸装置を提供することにある。
【課題を解決するための手段】
【０００７】
上記の目的を達成するために、下記の装置を発明した。上端閉鎖の灸筒と、前記灸筒内にヨモギ柱設置座によってつるされるヨモギ柱と、前記ヨモギ柱設置座の内部にあって前記灸筒の下端に伸びる導磁針と、を備える磁気灸装置であって、前記ヨモギ柱設置座の上端は、磁気吸着構造によって前記灸筒の天井に着脱可能に取り付けられ、前記導磁針は、少なくとも前記ヨモギ柱の全長の１／３の深さまで挿入されるか、または上下に前記ヨモギ柱を貫通して設置され、前記磁気吸着構造の磁場は、前記導磁針によって前記灸筒の下端から導かれて人体の灸をする部分に当てられ、前記人体の灸をする部分に灸の治療と磁気の治療とを同時に行う、ことを特徴とする磁気灸装置である。
【０００８】
更に、前記磁気吸着構造は、可動部と固定部とを備え、前記可動部と前記固定部とは、少なくとも一つが磁石によって構成され、前記可動部と前記固定部とは、相互吸着方法によって着脱可能に取り付けられ、前記固定部は、前記灸筒の天井に固定され、前記可動部は、前記ヨモギ柱設置座の上端に固定され、前記導磁針は、前記可動部と接する。
【０００９】
更に、前記磁気吸着構造における前記可動部と前記導磁針とは、いずれも鉄の磁性素材によって製造され、前記可動部は、前記導磁針の上端が曲げられた金属リングによって直接的に構成される。
【００１０】
更に、前記磁気吸着構造における前記固定部と前記可動部とは、いずれもシート構造であり、これによって対応する固定片と可動片とを形成する。
【００１１】
更に、前記ヨモギ柱設置座は、前記導磁針によって直接的に構成され、前記導磁針が前記ヨモギ柱の中に挿し込まれて取り付けられることによって、前記ヨモギ柱を前記灸筒の中につるす。
【００１２】
更に、前記ヨモギ柱設置座は、ヨモギ柱固定カバーを備え、前記可動片は、前記ヨモギ柱固定カバーの上端に固定され、前記導磁針は、前記ヨモギ柱固定カバーの中に設置され、前記ヨモギ柱は、その一端から前記ヨモギ柱固定カバーに挿し込まれて固定される。
【００１３】
更に、前記ヨモギ柱固定カバーの中には、前記ヨモギ柱の燃焼時に前記可動片に熱が転送されるのを遮断するための断熱構造が設置され、前記断熱構造は、前記ヨモギ柱固定カバーの中に設置される仕切り板または円筒形のブロックにより構成される。
【００１４】
更に、前記ヨモギ柱固定カバーの側壁には、前記ヨモギ柱の燃焼時に前記ヨモギ柱固定カバー内に発生する高温ガスを排出するスルーホールが設置される。
【００１５】
更に、前記灸筒の中には、サークリップまたはセンタ穴付きのスナップリングが設置され、前記サークリップまたはスナップリングは、前記灸筒の天井または側壁に粘着固定され、且つ、前記ヨモギ柱固定カバーのソケットと接続し、前記ヨモギ柱固定カバーは、径方向に前記サークリップまたはスナップリングに着脱可能に固定される。
【００１７】
更に、前記灸筒は、円柱筒であって、前記灸筒の側壁の下端に近いところに若干のインレットが円周方向に沿って均一に設置され、その上端に近いところに若干のアウトレットが円周方向に沿って均一に設置される。
【００１８】
更に、前記灸筒は、灸筒本体と灸筒蓋とを備え、前記灸筒蓋は、挿し込まれるか、または被せられて前記灸筒本体の上端をカバーし、前記灸筒本体の軸方向に沿って前記灸筒本体と部分的に重なり、前記アウトレットは、前記灸筒本体と前記灸筒蓋とが重なる部分にあり、径方向に沿って前記灸筒本体と前記灸筒蓋とを同時に貫通し、前記灸筒蓋と前記灸筒本体とを相対的に回転させて、前記アウトレットの開口の大きさを調節できるようにする。
【００１９】
更に、前記灸筒本体の中には、篩状の仕切り板が設置され、前記篩状の仕切り板は、前記ヨモギ柱の下にあり、前記灸筒本体の下端との間に距離を設け、人体の灸をする部分の肌と接触しないように保つ。
【００２０】
更に、前記灸筒本体、前記灸筒蓋、前記篩状の仕切り板の裏面には、いずれも難燃性を持つ熱反射フィルムが設置される。
【００２１】
更に、前記灸筒本体の下端の径方向に前記灸筒本体の外側に突出する環状灸座が設置されると同時に、前記灸筒本体に医療用テープがセットされ、前記医療用テープが前記環状灸座の表面上に押し付けられることによって、前記磁気灸装置の全体が人体の灸をする部分に固定される。
【００２２】
本発明は以下の技術態様を採用することもできる。
【００２３】
灸筒と灸筒上をカバーする灸筒蓋によって構成されるヨモギ柱燃焼室と、前記灸筒蓋の中にヨモギ柱設置座を通じてつるされるヨモギ柱と、前記ヨモギ柱設置座の内部にあって前記灸筒の下端に伸びる導磁針と、を備える磁気灸装置であって、前記ヨモギ柱設置座は、第１の磁気シートとヨモギ柱固定カバーとによって構成され、前記ヨモギ柱設置座の上端は、前記第１の磁気シートを通じて前記灸筒蓋の天井に粘着固定され、前記導磁針は、少なくとも前記ヨモギ柱の全長の１／３の深さまで挿入されるか、または上下に前記ヨモギ柱を貫通して設置され、前記第１の磁気シートの磁場は、前記導磁針を通じて前記灸筒の下端から導かれて人体の灸をする部分に当てられ、前記人体の灸をする部分に灸の治療と磁気の治療とを同時に行う、ことを特徴とする磁気灸装置である。
【００２４】
更に、前記ヨモギ柱固定カバーの上端は、前記灸筒蓋の天井に設けられた前記第１の磁気シートに粘着固定され、前記ヨモギ柱固定カバーの中には、前記ヨモギ柱の燃焼時に前記第１の磁気シートに熱が転送されるのを遮断するための断熱構造が設置され、前記断熱構造は、前記ヨモギ柱固定カバー内に設置される円筒形のブロックによって構成され、前記ヨモギ柱固定カバーの中には、前記導磁針が設置され、前記導磁針の先端には、前記導磁針が前記第１の磁気シートに吸着されるように鉄の第２の磁気シートが付けられ、前記鉄の第２の磁気シートと前記導磁針とは、一体に製造され、前記ヨモギ柱固定カバーの側壁には、前記ヨモギ柱の燃焼時に前記ヨモギ柱固定カバー内に発生する高温ガスを排出するスルーホールが設置される。
【００２５】
更に、前記灸筒蓋の中には、サークリップまたはセンタ穴付きのスナップリングが設置され、前記サークリップまたはスナップリングは、前記灸筒蓋の天井または側壁に粘着固定され、且つ、前記ヨモギ柱固定カバーのソケットと接続し、前記ヨモギ柱固定カバーは、径方向に前記サークリップまたはスナップリングに着脱可能に固定される。
【発明の効果】
【００２６】
従来の技術と比べて、本発明は、下記の一または複数のメリットを有する。
【００２７】
（１）ヨモギ柱設置座を設置することによって、ヨモギ柱が着脱可能な形でヨモギ柱設置座の中に設置され、灸をする時にヨモギ柱を複数回交換して、当該磁気灸装置を複数回使用することができる。
【００２８】
（２）当該磁気灸装置は、ヨモギ柱と併せて磁石を備え、患者に対して灸の治療を行うと同時に磁気の治療をも行うことにより、治療効果を向上させる。
【００２９】
（３）当該磁気灸装置を使用する際に、灸筒の中のヨモギ柱が燃焼した後に発生する灰が落ちず、導磁針の周囲に集められるため、患者が火傷することを避けられ、他の物品に着火する安全上の問題も解消できる。
【００３０】
（４）当該磁気灸装置に付ける医療用テープは、患者の皮膚にしっかり粘着し、使いやすくて、患者の体の異なる部位に磁気灸装置を同時に固定し、同時に灸をすることができ、人体のツボのレイアウトに影響されない。
【００３１】
（５）当該磁気灸装置の灸筒は、インレットとアウトレットを設置することを通じて気流を調節し、また、灸筒の他の部位が良い密閉度を保証することにより、同じ規格のヨモギ柱の燃焼時間をより長くし、灸の治療効果がより良くなる。
【００３２】
（６）当該磁気灸装置は、構造が簡易で取り付けが便利であり、灸筒本体及び内部部材はいずれも難燃機能を有し、使用上安全であり、患者が医者の指導を経て自家で自ら灸をすることができ、患者の外出が不便である場合、または保健治療を行う場合のいずれも自ら灸をすることができる。
【００３３】
本発明の磁気灸装置は、伝統的なモグサを採用して灸をすることにより、伝統的なヨモギ灸と本質的に一貫性を維持している。当該磁気灸装置を使用してヨモギ灸をする時に、通気孔のサイズを調節することによりヨモギ柱の燃焼速度を調節することができるため、ヨモギ灸の温度、ヨモギ灸を行う時間の調節も可能となる。また、本発明の磁気灸装置は、便利であり、通気性もよく、ヨモギ柱の燃焼が十分であり、発生する煙が少なく、ヨモギ灸をする時にヨモギ柱と肌との間に安全な距離を保つことにより、患者に対して火傷、水膨れ、感染などの不利な効果を与えることがない。
【図面の簡単な説明】
【００３４】
【図１】本発明の実施例１の使用状態の模式図である。
【図２】実施例１の組立説明図である。
【図３】図２において番号１で示した灸筒蓋の断面図である。
【図４】図２において番号６で示した灸筒本体の断面図である。
【図５】実施例１の分解図である。
【図６】実施例１の磁場分布図である。
【図７】本発明の実施例２の部分構造模式図である。
【図８】本発明の実施例３の部分構造模式図である。
【図９】本発明の実施例４の構造模式図である。
【図１０】本発明の実施例５の構造模式図である。
【図１１】本発明の実施例６の構造模式図である。
【図１２】本発明の実施例７の構造模式図である。
【図１３】本発明の実施例８の構造模式図である。
【図１４】本発明の実施例８で使用するスナップリングの構造模式図である。
【図１５】本発明の実施例９の構造模式図である。
【発明を実施するための形態】
【００３５】
本発明が予定の発明の目的を達するために採用した技術手段及び効果を更に説明するために、以下では、図面と好ましい実施例とを結び付けて、本発明の構造、特徴及び効果を詳細に説明する。
【００３６】
実施例１
図２、図３、図４、図５に示すのは本発明の実施例１であり、当該実施例における磁気灸装置は、灸筒本体６、灸筒蓋１を含み、灸筒蓋１は、灸筒本体６の上端に被せられた。
【００３７】
灸筒蓋１の天井の裏面には、磁気吸着構造を通じてヨモギ柱５をつるすのに用いるヨモギ柱設置座を着脱可能に取り付け、その中の磁気吸着構造は、活動部と固定部とにより構成し、具体的には、ペアの磁気シートにより構成してもよいが、一つの磁気シートと鉄の磁性金属片とにより構成してもよいとした。磁気吸着構造を構成する二つの磁気シートのうち、一つを固定片２として灸筒蓋１の天井に固定し、もう一つを活動片１３としてヨモギ柱設置座に固定した。固定片２には耐高温環境保護テープを採用することができ、灸筒蓋６の天井に粘着させた。
【００３８】
活動片１３に導磁針３を固定し、導磁針３が活動片１３の表面と直交し、且つ灸筒本体６の下端に伸び、当該導磁針３がヨモギ柱５の中を貫くように設置した。磁気吸着構造の磁場が導磁針３を通じて灸筒本体の下端から導かれて人体の灸をする部分に作用し、人体の灸をする部分に灸の治療と磁気の治療とを同時に行った。
【００３９】
灸筒蓋１の天井裏面に設置するヨモギ柱設置座は、活動片１３、導磁針３、ヨモギ柱固定カバー１２により構成した。ヨモギ柱固定カバー１２の―端と活動片１３とを固定し、導磁針３はヨモギ柱固定カバー１２の中に設置し、ヨモギ柱固定カバー１２の内径はヨモギ柱５の外径よりやや小さくし、ヨモギ柱５はその一端をヨモギ柱固定カバー１２に挿し込んで固定し、ヨモギ柱５を挿し込んで固定すると同時に、導磁針３をヨモギ柱５の中に挿し込んだ。
【００４０】
導磁針３は上下の軸方向にヨモギ柱５を貫通し、ヨモギ柱５の燃焼後に発生した灰は、導磁針３のヨモギ柱５に包まれる部分の側面を基に導磁針３の周囲に集め、落ちて患者に火傷させることを避けた。
【００４１】
ヨモギ柱固定カバー１２の中にヨモギ柱断熱構造を設置した。当該構造は、ヨモギ柱５の燃焼時の熱量が灸筒蓋１の天井に転送されることを遮断するために用いられ、当該断熱構造は、円筒形のブロック４により構成した。
【００４２】
ヨモギ柱固定カバー１２の側壁に、ヨモギ柱５が燃焼する時にヨモギ柱固定カバー１２の中で発生した高温ガスを排出するスルーホールを設置した。ヨモギ柱５の、ヨモギ柱固定カバー１２に挿し込んで設置した一端の端面と、ヨモギ柱断熱構造の下端面との間には隙間があり、当該隙間とスルーホールとは繋がり、当該隙間とスルーホールとがヨモギ柱５の燃焼に有利に作用した。
【００４３】
灸筒側壁６の下端に近いところに若干のインレット７を円周方向に沿って均一に設置し、その上端に近いところに若干のアウトレット１１を円周方向に沿って均一に設置した。ヨモギ柱５の燃焼時にインレット７からガスを流入させ、アウトレット１１からガスを排出させた。
【００４４】
灸筒本体６及び灸筒蓋１はいずれも円柱筒形であり、インレット７及びアウトレット１１はいずれも灸筒本体６の円周方向に沿って均一に設置する若干の開口を含み、好ましくは、２〜６個であった。
【００４５】
灸筒蓋１は、その筒壁の一部を灸筒本体６の上端に挿し込み、アウトレット１１は灸筒本体６と灸筒蓋１とが重なる部分にあって、アウトレット１１は径方向に沿って灸筒本体６と灸筒蓋１とを同時に貫通した。よって、灸筒蓋１が灸筒本体６に対して回転することで、アウトレット１１の開口サイズ（通径）を調節でき、灸筒本体６の中の空気の流通量を制御し、更にヨモギ柱５の燃焼速度を制御し、ヨモギ灸の温度を調節する目的を達した。
【００４６】
灸筒本体６の下端に、中部がスルーホールになっている環状灸座９を設置し、灸座９の灸筒本体６側の表面上に中部のスルーホールをカバーする篩状の仕切り板１０を設置し、篩状の仕切り板１０には若干のスルーホールを緻密に設置し、ヨモギ柱５の燃焼時に発生した灸の治療作用が篩状の仕切り板上のスルーホールを通じて人体の灸をする部分に働くようにした。篩状の仕切り板１０を灸座９の上表面に設置すると、灸座９を利用して仕切り板１０の下表面と人体の皮膚との間に有効的な距離を保つことができ、火傷を避けられる。また、ヨモギ柱５の燃焼後に発生した灰がスルーホールを通って人体の皮膚に落ち、火傷になることを防止するために、篩状の仕切り板１０のスルーホールの口径は大き過ぎないようにした。
【００４７】
灸筒本体６、灸筒蓋１、灸座９及び篩状の仕切り板１０の裏面には、いずれも難燃性を持つ熱反射フィルムを設置した。熱反射フィルムを設置した後、磁気灸装置の熱量分散が下がり、灸の治療効果が向上し、磁気灸装置の使用上の安全性が向上した。
【００４８】
磁気灸装置の使用を便利にするために、磁気灸装置にシート状の医療用テープ８を設置した。当該医療用テープ８は、テープ上に設置されたスルーホールを通じて灸筒本体６をカバーし、医療用テープ８とセットした環状灸座９は、径方向に灸筒本体６の表面に突出するフランジを有した。医療用テープ８をフランジの上表面に押し付けることにより磁気灸装置の全体を患者の灸をする部分に固定した。
【００４９】
上記のヨモギ柱設置座は、ヨモギ柱カバー１２を設置していなくてもよく、活動片１３及び導磁針３のみによっても構成できる。その場合、ヨモギ柱５は導磁針３を挿し込んで固定し、ヨモギ柱５の位置は導磁針３の挿し込みの深さによって確定した。
【００５０】
灸筒本体６、灸筒蓋１、ヨモギ柱固定カバー１２は、いずれも比較的硬い板紙によって製造した。
【００５１】
上記磁気灸装置を使用する時には、まず、ヨモギ柱５をヨモギ柱固定カバー１２に固定し、ヨモギ柱５に点火後、灸筒蓋１で灸筒本体６をカバーしてから、医療用テープ８を利用して磁気灸装置を人体の灸をする部分に固定し、灸筒本体６に相対して灸筒蓋１を回転させ、ヨモギ柱５を適切な燃焼速度に調節した後に灸をした。
【００５２】
図６に示すように、本発明の磁気灸装置は、灸をする時に、ヨモギ柱５の燃焼時に発生する灸の治療効果以外に、更に磁場を通じて人体の灸をする部分に対して磁気の治療を行うことにより、灸の治療と磁気の治療とが合わさった総合的な治療効果をもたらした。
【００５３】
実施例２
図７は、本発明の実施例２を示す。実施例１と異なるところは、ヨモギ柱固定カバー１２におけるヨモギ柱の断熱構造を断熱板によって構成し、断熱板の断熱効果を保証するために、ヨモギ柱固定カバー１２の中に１〜３層の絶縁板を設置することができることである。よって、ヨモギ柱５の上端面より上に１〜３層の断熱空間の区切りができ、断熱空間と断熱板との共同作用によってヨモギ柱５の燃焼温度をより良く遮断することができた。
【００５４】
実施例３
図８は、本発明の実施例３を示す。実施例１と異なるところは、当該実施例においては、アウトレット１１が灸筒蓋１を貫通する部分を溝状に設計したことである。当該溝状の構造を利用して、同様にアウトレット１１の通径を調節する目的を達することができた。
【００５５】
実施例４
図９は、本発明の実施例４を示す。実施例１と異なるところは、当該実施例においては、灸筒蓋１を被せて灸筒本体６の上端を蓋うことである。アウトレット１１は、灸筒本体６と灸筒蓋１とが重なる部分に設置し、同様に、灸筒蓋１を灸筒本体６に相対して回転させることによってアウトレット１１の通径を調節することができた。
【００５６】
実施例５
図１０は、本発明の実施例５を示す。実施例１と異なるところは、当該実施例においては、磁気吸着構造内の活動部と導磁針３とをいずれも鉄の磁性材料によって製造し、活動部を導磁針３の上端が曲げられてできた金属リングにより直接的に構成することである。導磁針３の上端に金属リングを設置することは、固定部とのマウントに便利であった。
【００５７】
実施例６
図１１は、本発明の実施例６を示す。実施例１と異なるところは、当該実施例においては、篩状の仕切り板１０と灸筒本体６の下端との間に距離を設けることにより、人体の灸をする部分の肌に接触しないように保証したことである。篩状の仕切り板１０の高さを上げることにより、磁気灸装置の安全性を向上させた。
【００５８】
実施例７
図１２は、本発明の実施例７を示す。実施例１と異なるところは、当該実施例においては、灸筒蓋１内にサークリップ１４を設置し、サークリップ１４の上部のシートリングを灸筒蓋１の天井と接着させ、サークリップ１４の下部の弾性爪にヨモギ柱固定カバー１２をしっかりクランプさせたことである。活動部と固定部との吸着の不安定さによるヨモギ柱設置座の揺れ、または予想外に脱落することを防止した。
【００５９】
実施例８
図１３、図１４は、本発明の実施例８を示す。実施例１と異なるところは、当該実施例においては、灸筒蓋１内にスナップリング１５を設置し、スナップリング１５の中部にヨモギ柱固定カバー１２に適合するセンタ穴を設け、スナップリング１５の側部の突起部と灸筒蓋１の側壁または天井とを粘着させ、スナップリング１５の中部のセンタ穴にヨモギ柱固定カバー１２をしっかりクランプさせたことである。活動部と固定部との吸着の不安定さによるヨモギ柱設置座の揺れ、または予想外に脱落することを防止した。
【００６０】
実施例９
図１５は、本発明の実施例９を示す。実施例８と異なるところは、当該実施例においては、ヨモギ柱設置座を固定片２とヨモギ柱カバー１２とによって構成し、固定片２に磁気シートを採用して製造し、ヨモギ柱設置座の上端を固定片２を通じて灸筒蓋１の天井に粘着固定したことである。
【００６１】
ヨモギ柱カバー１２の上端が固定片２に粘着固定され、ヨモギ柱５が設置後により安定になった。
【００６２】
ヨモギ柱設置座内に導磁針３を設置し、当該導磁針３をヨモギ柱５の中に挿し込んで設置し、挿し込みの長さがヨモギ柱全長の１／３より長くなるようにした。導磁針３の先端に、導磁針３を固定片２に吸着する鉄の磁気シートを付け、鉄の磁気シートと導磁針３とは―体であって、鉄の磁性素材によって製造し、良好な導磁性能を持たせた。
【００６３】
灸筒蓋１内にスナップリング１５を設置し、スナップリング１５の中部にヨモギ柱固定カバー１２に適合するセンタ穴を設け、センタ穴の周囲に通気孔を均一に設け、スナップリング１５の側面と灸筒蓋１の側壁とを粘着させ、スナップリング１５の中部のセンタ穴にヨモギ柱固定カバー１２をしっかりクランプさせ、ヨモギ柱５を交換する時のヨモギ柱設置座の揺れ、または予想外に脱落することを防止した。
【００６４】
以上の論述は、本発明を説明するためだけのものであって、本発明が上記の実施例に限らないことを理解すべきであり、本発明の思想に合う各種の変更例は、いずれも本発明の保護範囲内に属する。
【符号の説明】
【００６５】
１．灸筒蓋、２．固定片、３．導磁針、４．木のブロック、５．ヨモギ柱、６．灸筒本体、７．インレット、８．医療用テープ、９．灸座、１０．仕切り板、１１．アウトレット、１２．ヨモギ柱固定カバー、１３．活動片、１４．サークリップ、１５．スナップリング。
【図１】
0005770939.tif 000002
【図２】
0005770939.tif 000003
【図３】
0005770939.tif 000004
【図４】
0005770939.tif 000005
【図５】
0005770939.tif 000006
【図６】
0005770939.tif 000007
【図７】
0005770939.tif 000008
【図８】
0005770939.tif 000009
【図９】
0005770939.tif 000010
【図１０】
0005770939.tif 000011
【図１１】
0005770939.tif 000012
【図１２】
0005770939.tif 000013
【図１３】
0005770939.tif 000014
【図１４】
0005770939.tif 000015
【図１５】
0005770939.tif 000016